(57)【要約】【課題】内部への液体の注入時の袋体の良好な膨張を可能にして、内部に所期した量の液体を充填することのできる液体輸送用容器の使用方法を提供する。【解決手段】この発明の液体輸送用容器の使用方法は、柔軟性を有する材料からなる袋体２を備え、前記袋体２が、平面視で方形状をなす底面部分３及び頂面部分４と、底面部分３及び頂面部分４のそれぞれの周縁部に連続して、四隅の角部６ａ〜６ｄで区画される四面の側面部分７ａ〜７ｄとを有し、底面部分３又は側面部分７ａ〜７ｄに液体の注入排出口１９が設けられてなる液体輸送用容器１を使用する方法であって、前記液体輸送用容器１の収縮状態で、該液体輸送用容器１を折り畳む容器折畳み過程を有し、前記容器折畳み過程が、それぞれの側面部分７ａ〜７ｄの頂面側半部と底面側半部とを、それらの半部が相互に重なり合うように、頂面部分４と底面部分３との間に挟み込んで前記袋体２の内部側に折り込み、前記袋体２を、平面視で方形状をなす側面折込み姿勢とすることを含む。【選択図】図７
2018058608.tif 000002
【特許請求の範囲】
【請求項１】
柔軟性を有する材料からなる袋体２を備え、前記袋体２が、平面視で方形状をなす底面部分３及び頂面部分４と、底面部分３及び頂面部分４のそれぞれの周縁部に連続して、四隅の角部６ａ〜６ｄで区画される四面の側面部分７ａ〜７ｄとを有し、底面部分３又は側面部分７ａ〜７ｄに液体の注入排出口１９が設けられてなる液体輸送用容器１を使用する方法であって、
前記液体輸送用容器１の収縮状態で、該液体輸送用容器１を折り畳む容器折畳み過程を有し、前記容器折畳み過程が、それぞれの側面部分７ａ〜７ｄの頂面側半部と底面側半部とを、それらの半部が相互に重なり合うように、頂面部分４と底面部分３との間に挟み込んで前記袋体２の内部側に折り込み、前記袋体２を、平面視で方形状をなす側面折込み姿勢とすることを含む、液体輸送用容器の使用方法。
【請求項２】
前記液体輸送用容器１が袋体２の頂面部分４に、頂面側スライドファスナー９により開閉可能な頂面開口部８を備え、前記頂面側スライドファスナー９により開閉可能な頂面開口部８が、前記頂面部分４の横方向の中央部に位置し、
前記容器折畳み過程が、前記側面折込み姿勢とした袋体２で、その横方向に三等分になる中央部及び両側部のうち、一方の側部を頂面部分４側で中央部上に折り重ねるとともに、その折り重ねた部分上に他方の側部を折り重ねて、三つ折りにすることをさらに含む、請求項１に記載の液体輸送用容器の使用方法。
【請求項３】
前記液体輸送用容器１の前記頂面側スライドファスナー９により開閉可能な頂面開口部８が、前記頂面部分４の縦方向の一端部側に片寄って位置し、
前記容器折畳み過程が、三つ折りにした袋体２の縦方向の他端部を、前記一端部側に向けて複数回にわたって、当該他端部が内側に巻き込まれるように折り重ねることをさらに含む、請求項２に記載の液体輸送用容器の使用方法。
【請求項４】
前記液体輸送用容器１が、前記袋体２の前記一端部側の側面部分７ｂ又は、底面部分３に、液体の注入排出口１９を備える、請求項３に記載の液体輸送用容器の使用方法。
【請求項５】
前記液体輸送用容器１が、前記袋体２の側面部分７ａ〜７ｄの一つに、液体の注入排出口１９を備え、
前記容器折畳み過程の後、液体輸送用容器１の配置スペースで液体輸送用容器１を配置する容器配置過程をさらに有し、
前記容器配置過程が、容器折畳み過程で折り畳まれた袋体２を、前記頂面部分４が鉛直方向上側に位置する向きで前記配置スペース上に置いて、前記袋体２を前記側面折込み姿勢とすること、ならびに、その後、前記側面折込み姿勢の袋体２で、少なくとも、前記注入排出口１９を設けた側面部分を除く三面の側面部分のそれぞれの頂面側半部を内側に折り返して、各頂面側半部を頂面部分４上に位置させた注入直前姿勢とすることを含む、請求項１〜４のいずれか一項に記載の液体輸送用容器の使用方法。
【請求項６】
前記容器配置過程の後、液体輸送用容器１に液体を注入する液体注入過程をさらに有し、
前記液体注入過程が、前記注入直前姿勢で、注入排出口１９から袋体２の内部に液体を注入することを含む、請求項５に記載の液体輸送用容器の使用方法。
【発明の詳細な説明】
【技術分野】
【０００１】
この発明は、たとえば水、牛乳もしくはジュースその他の飲料を含む種々の液体の輸送に用いる液体輸送用容器に関するものであり、特には、所定の液体輸送用容器を良好に使用することのできる技術を提案するものである。
【背景技術】
【０００２】
この種の液体輸送用容器は、主として貨物自動車その他の車両、船舶または航空機等でコンパクトに収納できるように折り畳み可能な柔軟性を有する袋体の形状をなすものであり、車両等に積載されて、車両の往路または復路のいずれか一方で所定の液体を輸送する際に、輸送効率向上の観点から用いられることがある。
【０００３】
より詳細には、たとえば、往路で所定の液体を充填した液体輸送用容器を、車両の荷台に積載して目的地に輸送した後、復路では、車両の荷台に、液体輸送用容器に代えて固体の物資等を積載して輸送するとともに、空の液体輸送用容器は折り畳んで車両内に収納することで、復路での別物資の輸送が可能になり、輸送効率の向上を図ることができる。
これに関連する従来技術としては、特許文献１〜３に記載されたもの等がある。
【先行技術文献】
【特許文献】
【０００４】
【特許文献１】特許第４１１９２３４号公報
【特許文献２】特許第４０６３４５６号公報
【特許文献３】特開２００１−７２１７６号公報
【発明の概要】
【発明が解決しようとする課題】
【０００５】
上述したような液体輸送用容器は、たとえば、使用前は、コンパクトに折り畳まれて、所定の梱包等がなされており、そして使用する際には、貨物自動車の荷台等における所定の配置スペースにセットされて、液体が注入される。
このとき、使用前の折畳みの態様や配置スペースでのセットの態様によっては、液体の注入に伴い、袋体の表面に意図しない皺が発生する等して、内部への液体の注入による袋体の膨張が良好に行われず、その結果として、所定量の液体を確実に充填し得ないことがあった。
【０００６】
他方、液体輸送用容器としては、特許文献３等に記載されているように、底面部分と頂面部分と四面の側面部分とを有する袋体で構成し、その袋体の頂面部分に、洗浄等の際に用いられ得るスライドファスナー付きの頂面開口部を設けたものがあるが、このような液体輸送用容器では、上述したような出荷時の折畳みで当該スライドファスナーが折れ曲がり、このことがスライドファスナーの破損の原因となる場合がある。
【０００７】
この発明は、従来の液体輸送用容器が抱えるこのような問題に解決することを課題とするものであり、その主たる目的は、内部への液体の注入時の袋体の良好な膨張を可能にして、内部に所期した量の液体を充填することのできる液体輸送用容器の使用方法を提供することにある。また、この発明の他の目的は、袋体の頂面部分に設けた頂面開口部のスライドファスナーへの損傷の発生を有効に抑制することのできる液体輸送用容器の使用方法を提供することにある。
【課題を解決するための手段】
【０００８】
この発明の液体輸送用容器の使用方法は、柔軟性を有する材料からなる袋体を備え、前記袋体が、平面視で方形状をなす底面部分及び頂面部分と、底面部分及び頂面部分のそれぞれの周縁部に連続して、四隅の角部で区画される四つの側面部分とを有し、底面部分又は側面部分に液体の注入排出口１９が設けられてなる液体輸送用容器を使用する方法であって、前記液体輸送用容器の収縮状態で、該液体輸送用容器を折り畳む容器折畳み過程を有し、前記容器折畳み過程が、それぞれの側面部分の頂面側半部と底面側半部とを、それらの半部が相互に重なり合うように、頂面部分と底面部分との間に挟み込んで前記袋体の内部側に折り込み、前記袋体を、平面視で方形状をなす側面折込み姿勢とすることを含むものである。ここでいう「収縮状態」とは、袋体の内部に液体及び気体がほぼ存在せず、袋体が圧縮された状態を意味する。
【０００９】
ここで、前記液体輸送用容器が袋体の頂面部分に、頂面側スライドファスナーにより開閉可能な頂面開口部を備え、前記頂面側スライドファスナーにより開閉可能な頂面開口部が、前記頂面部分の横方向の中央部に位置するものである場合、前記容器折畳み過程が、前記側面折込み姿勢とした袋体で、その横方向に三等分になる中央部及び両側部のうち、一方の側部を頂面部分側で中央部上に折り重ねるとともに、その折り重ねた部分上に他方の側部を折り重ねて、三つ折りにすることをさらに含むことが好ましい。
【００１０】
またここで、前記液体輸送用容器の前記頂面側スライドファスナーにより開閉可能な頂面開口部が、前記頂面部分の縦方向の一端部側に片寄って位置するものである場合、前記容器折畳み過程が、三つ折りにした袋体の縦方向の他端部を、前記一端部側に向けて複数回にわたって、当該他端部が内側に巻き込まれるように折り重ねることをさらに含むことが好ましい。
ここでは、前記液体輸送用容器は、前記袋体の前記一端部側の側面部分又は、底面部分に、液体の注入排出口を備えるものとすることが好適である。
【００１１】
この発明の使用方法では、前記液体輸送用容器が、前記袋体の側面部分の一つに、液体の注入排出口を備え、前記容器折畳み過程の後、液体輸送用容器の配置スペースで液体輸送用容器を配置する容器配置過程をさらに有し、前記容器配置過程が、容器折畳み過程で折り畳まれた袋体を、前記頂面部分が鉛直方向上側に位置する向きで前記配置スペース上に置いて、前記袋体を前記側面折込み姿勢とすること、ならびに、その後、前記側面折込み姿勢の袋体で、少なくとも、前記注入排出口を設けた側面部分を除く三面の側面部分のそれぞれの頂面側半部を内側に折り返して、各頂面側半部を頂面部分上に位置させた注入直前姿勢とすることを含む、ことが好ましい。
【００１２】
この場合においては、前記容器配置過程の後、液体輸送用容器に液体を注入する液体注入過程をさらに有し、前記液体注入過程が、前記注入直前姿勢で、注入排出口から袋体の内部に液体を注入することを含むことが好ましい。
【発明の効果】
【００１３】
この発明の液体輸送用容器の使用方法によれば、液体輸送用容器の収縮状態で、袋体を上述した側面折込み姿勢とすることにより、後述するような液体注入過程で袋体をセットして袋体内部に液体を注入すると、袋体の底面部分側から貯留する液体により、袋体の側面部分が次第に外側に押し広げられて、袋体を良好に膨張させることができるので、液体輸送用容器の内部へ所期した量の液体を有効に充填することができる。
【００１４】
ここで、側面折込み姿勢とした袋体を、上述したように三つ折りとしたときは、頂面部分の中央部に設けた頂面開口部の頂面側スライドファスナーが折れ曲がり難くなるので、液体輸送用容器を小さく折り畳みつつ、スライドファスナーへの損傷の発生を有効に抑制することができる。
【００１５】
またここで、三つ折りにした袋体の他端部から一端部側に向けて複数回にわたって折り重ねるときは、一端部側に片寄せて設けた頂面開口部の頂面側スライドファスナーが折れ曲がり難くなって、スライドファスナーへの損傷の発生を有効に抑制しながら、さらに小さく液体輸送用容器を折り畳むことができる。
【００１６】
この場合において、液体輸送用容器が、袋体の一端部側の側面部分に、液体の注入排出口を備えるものとしたときは、三つ折りにした袋体の他端部から一端部側に向けて複数回にわたって折り重ねた際に、一端部側の側面部分の注入排出口が内側に巻き込まれないので、袋体の内部に残存することのあるエアの排出その他の、注入排出口を用いた折畳み後の作業を容易に行うことができる。
【００１７】
このような液体輸送用容器の使用方法で、上記の容器配置過程及び液体注入過程を経るときは、たとえば、容器折畳み過程で折り畳まれた液体輸送用容器を広げて、配置スペースに側面折込み姿勢で容易にセットすることができて、液体の注入時に、袋体をより良好に膨張させることができる。
【図面の簡単な説明】
【００１８】
【図１】この発明の一の実施形態に係る使用方法に用いることのできる液体輸送用容器の一例を示す斜視図である。
【図２】図１の液体輸送用容器の袋体の側面部分に設けた側面側スライドファスナーの延在態様を示す、液体輸送用容器の概略平面図である。
【図３】図２の側面側スライドファスナーの部分平面図である。
【図４】図３のＩＶ−ＩＶ線に沿う断面図である。
【図５】図３の側面側スライドファスナーのエレメントを示す、図４の部分拡大断面図である。
【図６】図３の側面側スライドファスナーのスライダーの、上止具への係合状態を示す部分平面図である。
【図７】図１の液体輸送用容器を用いた一の実施形態の使用方法における容器折畳み過程を示す、液体輸送用容器の平面図である。
【図８】図７の容器折畳み過程により得られる側面折込み姿勢の液体輸送用容器を示す平面図である。
【図９】図８のＩＸ−ＩＸ線に沿う断面図である。
【図１０】図７に続く容器折畳み過程を示す、同様の平面図である。
【図１１】図１０に続く容器折畳み過程を示す、同様の平面図である。
【図１２】図１１に続く容器配置過程および液体注入過程を示す、同様の平面図である。
【発明を実施するための形態】
【００１９】
以下に図面を参照しながら、この発明の実施の形態について詳細に説明する。
図１に例示する液体輸送用容器１は、飲料水、牛乳もしくはジュース等の液体が内部に充填された状態で、たとえば、車両、船舶もしくは航空機、なかでもトラック等の貨物自動車に積載されて当該液体を輸送するためのものであって、柔軟性を有する材料からなる袋体２を備えてなる。なお図１では、袋体２の内部に液体を充填した膨張状態の液体輸送用容器１を示す。
ここでは、まず図示の液体輸送用容器１の具体的な構造を説明し、その後、この液体輸送用容器１の使用方法の実施形態について説明する。
【００２０】
液体輸送用容器１の要部を構成する袋体２は、図１に示すように、図１の下方側を向く袋体２の底部を構成する底面部分３と、図１の上方側を向く袋体２の頂部を構成する頂面部分４と、それらの底面部分３及び頂面部分４のそれぞれに各周縁部Ｅで連続し、図１の側方側を向く袋体２の周囲を構成する周面部分５とを有するものである。
特にこの実施形態では、袋体２は、その周囲の四隅に四つの湾曲面状等の角部６ａ〜６ｄが存在し、袋体２の周面部分５がそれらの各角部６ａ〜６ｄにより四面の側面部分７ａ〜７ｄに区画されており、膨張状態で全体として略直方体状をなす。
【００２１】
袋体２は、織布を樹脂材料により被覆した弾性シート材で構成することができる。この樹脂材料としては、たとえば、ポリウレタン、ポリ塩化ビニル、フッ素樹脂、エチレン−ビニルアルコール共重合体、エチレン−酢酸ビニル共重合体、ポリエチレンやポリプロピレンを含むポリオレフィン等を挙げることができる。
【００２２】
ここで、この液体輸送用容器１では、袋体２の頂面部分４に、液体輸送用容器１の内面を洗浄する際に図示しない洗浄ノズルを袋体２の内部に挿入するために用いることのできる頂面開口部８を設けている。
頂面開口部８は、図示の実施形態では、頂面部分４の一部で頂面部分４から外部に向けて膨出する形状を有する。より詳細には、平面視が長方形状のこの頂面開口部８は、最も膨出する先端面に、その長手方向と平行に直線状に延びる頂面側スライドファスナー９を設けたものであって、頂面部分４に連結される基部から当該先端面に向かうに従い、その幅を漸減させる傾斜面を有し、全体として略船体状をなす。
【００２３】
なおこの場合、液体輸送用容器１の内面の洗浄は、たとえば、上記の頂面開口部８の頂面側スライドファスナー９を開いて、頂面開口部８から洗浄ノズルを挿入した後、当該洗浄ノズルの挿入部分を残して頂面側スライドファスナー９を閉じた状態で、袋体２の内部にて、洗浄ノズルの先端部分から洗浄液を噴射することにより行うことができる。このとき、頂面開口部８を船体状としたことにより、頂面開口部８の内面にも、洗浄ノズルから噴射される洗浄液が十分接触することになり、頂面開口部８をも確実に洗浄することができる。
【００２４】
但し、頂面開口部は、これ以外にも様々な形状とすることができる。たとえば、図示の形状の頂面開口部８に代えて、図示は省略するが、軸線方向の一端側で袋体に連結されるとともに他端側の開口を密閉する蓋付きの円筒その他の筒状等の頂面開口部を設けた場合、筒状の周方向に延びて当該蓋を開閉可能にするスライドファスナーを設けることができる。
【００２５】
かかる頂面開口部８は、図１に示すように、頂面部分４の横方向（平面視で長方形状をなす袋体２では、その短辺と平行な幅方向）の中央部で、頂面部分４の縦方向（平面視で長方形状をなす袋体２では、その長辺と平行な長手方向）の一端部側（図１では手前側）に片寄った位置に設けることが好ましい。これにより、後述の使用方法の容器折畳み過程で頂面側スライドファスナー９の折れ曲がりをより有効に抑制することができる。
【００２６】
またここで、このような液体輸送用容器１では、袋体２の側面部分７ａ〜７ｄの少なくとも一部に延びる側面側スライドファスナー１０を設けることができる。
側面側スライドファスナー１０は、図２に平面図で模式的に示すように、四面の側面部分７ａ、７ｂ、７ｃ、７ｄのうちの互いに隣接する三面の側面部分７ｂ、７ｃ、７ｄにわたって延び、それらの三面の側面部分７ｂ、７ｃ、７ｄと残りの側面部分７ａとを区画する各角部６ａ、６ｄに至る手前で終端するように、袋体２の側面部分７ｂ〜７ｄに取り付けられることが好適である。つまり、図２に示すところでは、側面側スライドファスナー１０は、袋体２の側面部分７ａ〜７ｄのうち、側面部分７ｂの面内から、それに隣接する側面部分７ｃを通って、さらにそれに隣接する側面部分７ｄの面内まで延びて、その各端部を構成する後述の上止具１６ａおよび下止具１６ｂがそれぞれ、側面部分７ｂおよび側面部分７ｄのそれぞれの面内に配置されており、角部６ａ及び６ｄならびに側面部分７ａには側面側スライドファスナー１０は存在しない。
【００２７】
このように側面側スライドファスナー１０が袋体２の角部６ａ、６ｄに到達しないように、側面側スライドファスナー１０を袋体２に取り付けることにより、側面側スライドファスナー１０が角部６ａ〜６ｄで折れ曲がる箇所を少なくすることができ、その折れ曲がる箇所への応力集中による側面側スライドファスナー１０の破損その他の不具合が発生する確率を下げることができる。また、角部６ａ、６ｄに側面側スライドファスナー１０の上止具１６ａおよび下止具１６ｂを配置した場合に比して、側面側スライドファスナー１０の開き始め及び閉じ終りの操作が行やすくなるという利点もある。
なお、この袋体２では、側面部分７ｂ、７ｃ、７ｄの、頂面部分４側の周縁部Ｅに隣接する位置に、該周縁部Ｅと平行に延びる側面側スライドファスナー１０を設けている。
【００２８】
このような頂面側スライドファスナー９及び側面側スライドファスナー１０は、種々のタイプのスライドファスナーとすることができるが、なかでも、防水性スライドファスナーとすることが好ましく、特に気密防水性スライドファスナーとすることがより一層好適である。それにより、袋体２の内部に充填した液体の漏出を有効に防止することができる。加えて、気密防水性スライドファスナーは、他のタイプのスライドファスナーに比して高い強度を有することから、内部への液体の充填により大きな力が作用する袋体２の頂面側スライドファスナー９及び側面側スライドファスナー１０として用いることが好ましい。
なお、公知の気密防水性スライドファスナーとしては、国際公開第２０１５／０６３９２７号、特許第４６１０５１６号公報、実開昭６２−１８１２０６号公報に記載されたもの等がある。
【００２９】
側面側スライドファスナー１０を気密防水性スライドファスナーとした場合、この気密防水性スライドファスナー１０について詳説すれば以下のとおりである。
この気密防水性スライドファスナー１０は、先述したように袋体２の側面部分７ａ〜７ｄのうちの所定の領域にわたって、図３に拡大図で示すように、スライドファスナー１０の幅方向（図３では上下方向）に互いに並列してスライドファスナー１０の長手方向（図３では左右方向）に延びる一対のファスナーストリンガー１１と、使用者に保持される引手１２ａを有し、ファスナーストリンガー１１に沿ってスライドファスナー１０の長手方向に移動して、一対のファスナーストリンガー１１の開閉をもたらすスライダー１２とを備えてなる。なおここでは、スライドファスナー１０の長手方向のうち、一対のファスナーストリンガー１１を閉じるスライダー１２の移動の向きを前方側（図３では右側）といい、また、一対のファスナーストリンガー１１を開くスライダー１２の移動の向きを後方側（図３では左側）という。
【００３０】
ファスナーストリンガー１１は、たとえば織布の表面を樹脂材料によりコーティングしてなる防水性の一対のファスナーテープ１３と、それらのファスナーテープ１３の互いに隣接する側縁部のそれぞれに、該側縁部に沿って並べて取り付けた複数のエレメント１４からなる一対のエレメント列１５と、エレメント列１５の、スライダー１２の最も前方側の一端部および最も後方側の他端部のそれぞれに設けた上止具１６ａおよび下止具１６ｂとで構成されている。
【００３１】
このファスナーストリンガー１１では、図４に横断面図で示すところから解かるように、一対のファスナーテープ１３は、袋体２に取り付けられるテープ本体部１３ａおよび、テープ本体部１３ａに連続して、ファスナーテープ１３の互いに隣接する各側縁部を、袋体２の外部側（図４では右側）に向けて折り曲げて立設したテープ屈曲部１３ｂを有する。
そして、エレメント列１５の各エレメント１４は、一対のエレメント列１５のエレメント１４の相互で噛み合う噛合部材１７と、噛合部材１７を幅方向外側から取り囲む断面Ｃ字状の固定部材１８とで構成されており、これらの噛合部材１７と固定部材１８との間に、上記のテープ屈曲部１３ｂの一部が巻き込まれて挟まれることにより、各エレメント１４がファスナーテープ１３に取り付けられている。
【００３２】
より詳細には、エレメント１４の噛合部材１７は、図５に拡大して示すように、幅方向内側に位置する頭部１７ａ、幅方向外側に位置する拡大部１７ｂならびに、それらの噛合頭部１７ａおよび拡大部１７ｂの相互を連結する頸部１７ｃからなるものであり、頸部１７ｃから拡大部１７ｂにわたってその周囲をテープ屈曲部１３ｂにより包まれており、その外側から覆い被さるＣ字状の固定部材１８との間で、テープ屈曲部１３ｂを挟み込んでいる。このようにテープ屈曲部１３ｂに固定されるエレメント１４では、図５に示すように、噛合部材１７の頭部１７ａがテープ屈曲部１３ｂの幅方向内側に突出して位置し、当該頭部１７ａは、スライダー１２の移動により一対のファスナーストリンガー１１を閉じた際に、一対のエレメント列１５の互いに対向するエレメント１４のものどうしで係合することになる。
【００３３】
このスライドファスナー１０では、図６に示すように、スライダー１２を最も前方側まで移動させて、スライドファスナー１０を閉めきった状態で、平面外輪郭形状が略四角形状の上止具１６ａの側面に、それに対向するスライダー１２の側面が整合し、また、上止具１６ａの周囲に、その平面外輪郭形状に対応する形状を有する引手１２ａを引っ掛けて係合させることにより、スライドファスナー１０の、意図しない開き防止のためにロックすることができる。
また引手１２ａには、ここでは図示しないテープ状把持部を取り付けることができ、当該テープ状把持部は、使用者の把持に供されて、スライドファスナー１０の容易な開閉をもたらすことができる。
【００３４】
ところで、液体輸送用容器１では、袋体２の外部と内部との間での液体の出し入れを可能にするため、図示の実施形態のように、袋体２の側面部分７ａ〜７ｄのうちの一つ、好ましくは袋体２の頂面部分４の頂面開口部８を設けた一端部側に位置する側面部分７ｂに、袋体２の内部と外部とを連通させる液体の注入排出口１９を設けることができる。この注入排出口１９より、たとえば頂面側スライドファスナー９及び側面側スライドファスナー１０を閉めきった状態で、袋体２の内部への液体の注入及び、袋体２の内部からの液体の排出を容易に行うことが可能になる。
この実施形態では、注入排出口１９は、液体輸送用容器１の幅方向で側面部分７ｂの中央であって、液体輸送用容器１の高さ方向で底面部分３の先端部に接するように位置させている。
なお図示は省略するが、注入排出口は、袋体２の側面部分７ｂではなく底面部分３に設けることもできる。
【００３５】
なお、図示の液体輸送用容器１では、袋体２の頂面部分４の四隅の近傍に、洗浄時やその後の乾燥時等に袋体２を吊るすための引掛けリング２０を取り付けて設けている。このような引掛けリングは、必要に応じて、袋体２の所定の箇所に適宜設けることができる。
【００３６】
以上に述べたような液体輸送用容器１は、次に述べる実施形態のように使用することができる。
この実施形態の使用方法では、たとえば、液体輸送用容器１を出荷する前に収縮状態の液体輸送用容器１を小さく折り畳む容器折畳み過程を行い、さらに、この容器折畳み過程の後、車両の荷台等における液体輸送用容器１の所定の配置スペースで液体輸送用容器１を配置するための容器配置過程及び、液体輸送用容器１を当該配置スペースに配置した後に液体輸送用容器１の内部に液体を注入する液体注入過程を行うことができる。
【００３７】
なおここでは、内部に液体や気体がほぼ含まれない収縮状態で、図７に示すように平面視で長方形状をなす袋体２の短辺側の側面部分７ｂ及び７ｄのうち、注入排出口１９が存在する側を後側面部分７ｂ、注入排出口１９が存在しない側を前側面部分７ｄといい、また長辺側の側面部分７ａ及び７ｃをそれぞれ、右側面部分７ａ及び左側面部分７ｃという。
【００３８】
容器折畳み過程では、頂面側スライドファスナー９及び側面側スライドファスナー１０を閉じた状態で、図７（ｂ）に矢印で示すように、右側面部分７ａの頂面部分４側の頂面側半部を、同図の一点鎖線の位置で、右側面部分７ａの底面部分３側の底面側半部に向けて折って、当該底面側半部上に頂面側半部を重ね合せることにより、頂面側半部と底面側半部とを折り重ねた右側面部分７ａを、頂面部分４と底面部分３との間に挟み込んで袋体２の内部側に折り込む。同様に、左側面部分７ｃについても、頂面側半部を、同図の一点鎖線の位置で、底面側半部に向けて折って、当該底面側半部上に頂面側半部を重ね合せることにより、頂面側半部と底面側半部とを折り重ねた左側面部分７ｃを、頂面部分４と底面部分３との間に挟み込んで袋体２の内部側に折り込む。
【００３９】
次いで、図７（ｃ）に示すように、後側面部分７ｂ及び前側面部分７ｄについても同様にそれぞれ、頂面側半部を、同図の一点鎖線の位置で、底面側半部に向けて折って、当該底面側半部上に頂面側半部を重ね合せることで、頂面側半部と底面側半部とを折り重ねた後側面部分７ｂ及び前側面部分７ｄをそれぞれ、頂面部分４と底面部分３との間に挟み込んで袋体２の内部側に折り込む。これにより、右側面部分７ａ、左側面部分７ｃ、後側面部分７ｂ及び前側面部分７ｄのそれぞれは、図８に破線で示すように、また図９に断面図で示すように、袋体２の内部側に向けて凸となる谷折りで、頂面部分４と底面部分３との間に挟み込まれて配置される。図８及び図９に示す袋体２のこの姿勢を、側面折込み姿勢という。
【００４０】
袋体２を側面折込み姿勢とすることにより、後述するような液体注入過程で所定の注入直前姿勢に容易にセットすることができ、この姿勢で袋体２の内部に液体を注入すると、袋体２の底面部分３側から貯留する液体が、袋体２の各側面部分９ａ〜９ｄを外側に押し広げながら袋体２を膨張させるので、袋体２に皺が発生することなく、袋体２が良好に膨張することになる。
【００４１】
また、容器折畳み過程では、上記の側面折込み姿勢から、図１０（ａ）に一点鎖線で示すように、袋体２の幅方向（図１０では上下方向）で三等分となる位置で、右側面部分７ａ及び左側面部分７ｃのうちの一方の側面部分側、たとえば右側面部分７ａ側の右側部を、図１０（ｂ）に示すように頂面部分４側で中央部上に折り重ねるとともに、他方の側面部分側、たとえば左側面部分９ｃ側の左側部を、図１１（ａ）に示すように、中央部上に折り返した右側部上に折り重ねることができる。
それにより、液体輸送用容器１は、袋体２の中央部、右側部及び左側部がこの順序で積層された三つ折りの状態となる。
【００４２】
この場合、袋体２の頂面部分４の横方向（幅方向）の中央部に、頂面側スライドファスナー９により開閉可能な頂面開口部８を設けた図示の液体輸送用容器１では、中央部に存在する頂面側スライドファスナー９は、上記の三つ折りの状態では、その折り目から外れて位置することになるので、頂面側スライドファスナー９の折れ曲がりを防止することができる。それにより、液体輸送用容器１を小さく折り畳んでコンパクトにしつつ、頂面側スライドファスナー９への損傷等の不具合の発生を有効に抑制することができる。
【００４３】
さらに、容器折畳み過程では、上記の三つ折りにより細長い長方形の平面形状となった袋体２の長手方向（図１１では左右方向）の一端部及び他端部のうち、注入排出口１９が存在しない側の他端部を、図１１（ａ）に矢印で示すように、注入排出口１９が存在する側の一端部側に向けて複数回、たとえば五回にわたって、当該他端部が内側に巻き込まれるように、側方から見て渦巻き状ないしロール状に折り重ねることができる。それにより、図１１（ｂ）に示す形状となる。
【００４４】
このことは、袋体２の頂面部分４の縦方向（長手方向）の一端部側に片寄った位置に、頂面側スライドファスナー９により開閉可能な頂面開口部８を設けた図示の液体輸送用容器１では、上記のように複数回折り重ねる際の複数の折り目上ではなく当該折り目の間に、頂面側スライドファスナー９が含まれるように折り重ねることができるので、頂面側スライドファスナー９の折れ曲がり防止の観点から有利である。しかも、液体輸送用容器１を小さく折り畳むことができて、取扱い性がより一層向上する。
【００４５】
最後に、上記のように複数回折り重ねた部分上に、図１１（ｂ）に矢印で示すように、一端部を折り重ねて、図１１（ｃ）に示すように折り畳むことができる。
ここで、袋体２の一端部側の側面部分に液体の注入排出口１９を設けたこの液体輸送用容器１では、図１１（ａ）〜（ｃ）に示す折畳みにより、袋体２の内部に残存していた気体は、注入排出口１９の近傍に集められるので、残存気体があれば、これを図１１（ｃ）の最終折畳み姿勢で注入排出口１９から排出させることができる。
このようにコンパクトに折り畳んだ液体輸送用容器１は、梱包等をして搬送することができる。
【００４６】
上述した容器折畳み過程の後の容器配置過程では、容器折畳み過程で折り畳まれた液体輸送用容器１を、トラックの荷台等の所定の配置スペースにセットして配置する。
具体的には、液体輸送用容器１を、頂面部分４が鉛直方向上側に位置する向きで配置スペース上に置き、先述したところと逆の手順にて、図８及び図９に示す袋体２の側面折込み姿勢まで広げた後、図１２（ａ）に矢印で示すように、右側面部分７ａ及び左側面部分７ｃがそれぞれ上方側に向くように、右側面部分７ａ及び左側面部分７ｃをそれぞれ折り返して、右側面部分７ａ及び左側面部分７ｃのそれぞれの頂面側半部を、頂面部分４上に配置する。
次いで、図１２（ｂ）に矢印で示すように、前側面部分７ｄが上方側に向くように前側面部分７ｄを折り返して、前側面部分７ｄの頂面側半部を頂面部分４上に配置する。このように袋体２を、右側面部分７ａ、左側面部分７ｃ及び前側面部分７ｄがそれぞれ上方側に向く注入直前姿勢として、容器配置過程は完了する。なおここで、注入排出口１９を設けた後側面部分９ｂをも折り返して、これを注入直前姿勢としてもよいが、後側面部分９ｂは、後述するように液体注入過程で折り返されるので、ここでの後側面部分９ｂの折り返しは必ずしも必要ではない。
【００４７】
容器配置過程の後の液体注入過程では、容器配置過程を経ることにより右側面部分７ａ、左側面部分７ｃ及び前側面部分７ｄが上方側に向いた状態で、注入排出口１９から袋体２の内部に液体を注入する。それにより、液体注入に伴い、側面折込み姿勢から右側面部分７ａ、左側面部分７ｃ及び前側面部分７ｄを上方側に向けた注入直前姿勢の袋体２では、底面部分３側から貯留する液体により、各側面部分７ａ〜７ｄが外側に、また頂面部分が上方側に徐々に押し広げられて、袋体２が円滑に膨張することになる。その結果、袋体２内へ所期した量の液体を有効に充填することが可能になる。
【００４８】
なお、液体をある程度注入すると、通常は、図１２（ｃ）に矢印で示すように、後側面部分９ｂが自然と、上方側に向くように折り返されるが、膨張態様等によっては、この折返し作業を人手により行ってもよい。
【符号の説明】
【００４９】
１  液体輸送用容器
２  袋体
３  底面部分
４  頂面部分
５  周面部分
６ａ〜６ｄ  角部
７ａ  左側面部分（側面部分）
７ｂ  後側面部分（側面部分）
７ｃ  右側面部分（側面部分）
７ｄ  前側面部分（側面部分）
８  頂面開口部
９  頂面側スライドファスナー
１０  側面側スライドファスナー
１１  ファスナーストリンガー
１２  スライダー
１２ａ  引手
１３  ファスナーテープ
１３ａ  テープ本体部
１３ｂ  テープ屈曲部
１４  エレメント
１５  エレメント列
１６ａ  上止具
１６ｂ  下止具
１７  噛合部材
１７ａ  頭部
１７ｂ  拡大部
１７ｃ  頸部
１８  固定部材
１９  注入排出口
２０  引掛けリング
【図１】
2018058608.tif 000003
【図２】
2018058608.tif 000004
【図３】
2018058608.tif 000005
【図４】
2018058608.tif 000006
【図５】
2018058608.tif 000007
【図６】
2018058608.tif 000008
【図７】
2018058608.tif 000009
【図８】
2018058608.tif 000010
【図９】
2018058608.tif 000011
【図１０】
2018058608.tif 000012
【図１１】
2018058608.tif 000013
【図１２】
2018058608.tif 000014